(57)【要約】【課題】突状片の数を増やすことなくテープ状ストラップの端部を確実に移動不能に保持でき、かつストラップ付きの物品保持具としても使用可能なテープ状ストラップのための係止クリップを提供する。【解決手段】係止クリップ１ａを、端部に係止部２を備えたベース体４と、このベース体４にヒンジ６により連結され、ストラップ８を折り返し保持するための折り返しバー１６を設けた挟持体５とから構成し、折り返しバー１６にストラップ８の一端を折り返し保持することで、ストラップ８の端部を確実に移動不能に保持でき、ベース体４に設けた係止部２に物品を係止させることで、ストラップ付きの物品保持具として使用することができる。【選択図】　図１
2004042921.tif 000002
【特許請求の範囲】
【請求項１】
端部に係止部を備えたベース体と、該ベース体にヒンジ連結した挟持体から成り、前記ベース体と挟持体を係合することにより両者間にテープ状ストラップ端を移動不能に保持するテープ状ストラップのための係止クリップであって、前記挟持体はテープ状ストラップを折り返し保持するための折り返しバーを有していることを特徴とするテープ状ストラップのための係止クリップ。
【請求項２】
前記折り返しバーは前記挟持体に対し片持ち支持されている請求項１に記載のテープ状ストラップのための係止クリップ。
【請求項３】
前記折り返しバーに対向する前記ベース体側には貫通口が形成されている請求項１または２に記載のテープ状ストラップのための係止クリップ。
【請求項４】
前記ベース体、前記挟持体或いは前記折り返しバーの少なくとも何れか一つに滑り止め手段が施されている請求項１ないし３の何れかに記載のテープ状ストラップのための係止クリップ。
【請求項５】
前記テープ状ストラップの一端が一方の前記係止クリップに移動不能に保持され、他端がもう一つの前記係止クリップに移動不能に保持され、それぞれの係止クリップが前記係止部で着脱自在に連結可能である請求項１ないし４の何れかに記載のテープ状ストラップのための係止クリップ。
【請求項６】
前記係止部は連結時に互いに枢働運動可能に構成されている請求項５に記載のテープ状ストラップのための係止クリップ。
【発明の詳細な説明】
【０００１】
【発明の属する技術分野】
本発明は、端部に係止部を備えたベース体と、このベース体にヒンジ連結した挟持体から成り、ベース体と挟持体を係合することにより両者間にテープ状ストラップ端を移動不能に保持するテープ状ストラップのための係止クリップに関する。
【０００２】
【従来の技術】
従来、このようなテープ状ストラップのための係止クリップとして図９に示すようなテープ両端を挟持して環状に連結する係止クリップが知られていた。
【０００３】
図９（ａ）は従来の係止クリップの平面図であり、図９（ｂ）は図９（ａ）のＡ−Ａ断面図であって、図９（ａ）に示すように、係止クリップ０１は、ベース体０２と挟持体０３から成り、この挟持体０３はヒンジ０４によりベース体０２と一体に連結されている。
【０００４】
このベース体０２は、テープ状ストラップ０５の端部をそれぞれ載置する支持台０２ａ、０２ｂが設けられ、一方、挟持体０３はこれら支持台０２ａ、０２ｂと協働してテープ状ストラップ０５の端部をそれぞれ挟持する挟持片０３ａ、０３ｂを有している。そして各挟持片０３ａ、０３ｂ側にはストラップ０５に食い込む突状片０６を有すると共に、一部長い突状片０７は支持台０２ａ、０２ｂに形成した係入凹部０８に係入可能に構成されている。
【０００５】
図９（ｂ）に示すように、各挟持片０３ａ、０３ｂは支持台０２ａ、０２ｂの鈎状部ａと着脱自在に係合できる係合突部ｂを備え、鈎状部ａと係合突部ｂとを係合することで、突状片０６がストラップ０５に食い込むと共に、長い突状片０７が係入凹部０８に係入して、テープ状ストラップ０５の各端部０５ａ、０５ｂはそれぞれ移動不能に保持され、このストラップ０５は環状に連結される。
【０００６】
【発明が解決しようとする課題】
上記した図９に示されるような従来の係止クリップ０１は、テープ状ストラップ０５の端部を移動不能に保持できるが、確実に保持するためには突状片０６の数を増やさなければならず、また、支持台０２ａ、０２ｂが一体となっているためにストラップ０５を環状に連結する使用形態に限定されていた。
【０００７】
本発明は、このような問題点に着目してなされたもので、突状片の数を増やすことなくテープ状ストラップの端部を確実に移動不能に保持でき、かつストラップ付きの物品保持具としても使用可能なテープ状ストラップのための係止クリップを提供することを目的とする。
【０００８】
【課題を解決するための手段】
上記課題を解決するために、本発明のテープ状ストラップのための係止クリップは、端部に係止部を備えたベース体と、該ベース体にヒンジ連結した挟持体から成り、前記ベース体と挟持体を係合することにより両者間にテープ状ストラップ端を移動不能に保持するテープ状ストラップのための係止クリップであって、前記挟持体はテープ状ストラップを折り返し保持するための折り返しバーを有していることを特徴としている。
この特徴によれば、折り返しバーによりテープ状ストラップを折り返し保持しているので、トラップの端部を確実に移動不能に保持でき、ベース体に設けた係止部に物品支持部を係止させることで、ストラップ付きの物品保持具として使用できる。
【０００９】
本発明のテープ状ストラップのための係止クリップにおいて、前記折り返しバーは前記挟持体に対し片持ち支持されていることが好ましい。
このようにすれば、折り返したテープ状ストラップを折り返しバーの自由端側から挿入できるので、ストラップの装着が容易にできる。
【００１０】
本発明のテープ状ストラップのための係止クリップにおいて、前記折り返しバーに対向する前記ベース体側には貫通口が形成されていることが好ましい。
このようにすれば、ストラップの折り返しにより折り返し部が肉厚となっても、テープ状ストラップの一部が貫通口に臨むことで、ベース体に挟持体を係合させるときの閉鎖抵抗力が減少できる。
【００１１】
本発明のテープ状ストラップのための係止クリップにおいて、前記ベース体、前記挟持体或いは前記折り返しバーの少なくとも何れか一つに滑り止め手段が施されていることが好ましい。
このようにすれば、テープ状ストラップが滑ることなくより確実に係止クリップに保持できる。
【００１２】
本発明のテープ状ストラップのための係止クリップにおいて、前記テープ状ストラップの一端が一方の前記係止クリップに移動不能に保持され、他端がもう一つの前記係止クリップに移動不能に保持され、それぞれの係止クリップが前記係止部で着脱自在に連結可能であることが好ましい。
このようにすれば、二つの係止クリップを連結することで、テープ状ストラップを環状に繋いでこれを首に掛け、名札や、入園券あるいはリフト券等をつるすことができる。
【００１３】
本発明のテープ状ストラップのための係止クリップにおいて、前記係止部は連結時に互いに枢働運動可能に構成されていることが好ましい。
このようにすれば、テープ状ストラップを環状に繋いだときに、係止クリップの連結部にも屈曲の自由度があるので、このストラップを使って物を縛るような場合に使い勝手がよい。
【００１４】
【発明の実施の形態】
以下、本発明の一実施形態につき図１〜図７に基づいて説明する。
【００１５】
先ず図１は、本発明の係止クリップであって、ベース体と挟持体が開放された状態を示す係止クリップの斜視図、図２は同じくベース体と挟持体によってテープ状ストラップが係止された状態を示す係止クリップの斜視図、図３は展開した係止クリップを外側から視た背面図、図４は展開した係止クリップを内側から視た正面図、図５は図３のＢ矢視図、図６は図４のＣ矢視図であり、図７は図２のＡ―Ａ断面図である。
【００１６】
図１、図２に示されるように、符号１ａ及び１ｂは、例えば合成樹脂で一体成形された係止クリップであって、これらのクリップ１ａ、１ｂの端部には、互いに係脱可能な係止部２及び係止部３が形成されてあり、これらの係止クリップ１ａ、１ｂにテープ状紐材等で形成されるテープ状ストラップ（以下ストラップ８と称する）の両端をそれぞれ保持し、係止部２と係止部３を互いに係止させることでループ状のストラップ８を形成できるようになっている。
【００１７】
係止クリップ１ａ、１ｂは、係止部２及び係止部３以外は同一構造で構成されているため、一方の係止クリップ１ａに付き図１〜図６を参照して詳述する。
【００１８】
すなわち、係止クリップ１ａは、端部に係止部２を備えたベース体４と、このベース体４にヒンジ６を介して折曲げ可能に弾力的に連結された挟持体５とで一体成形されて成り、ベース体４と挟持体５によりストラップ８の端部を挟持した状態で互いに係合することにより保持できるように構成されている。
【００１９】
詳しくは、ベース体４は、所定厚みの偏平体で矩形状に形成されており、その一端には先端に所定幅のスリット状開放部２ａを有する断面Ｃ型の係止部２が形成され、ベース体４の上面にはストラップ８が折返されて重合した端部を収容すべく上面ないし後端が開放する収容凹部１０が形成されいる（図１及び図５参照）。
【００２０】
収容凹部１０の両側には側壁１２ａ、１２ｂが立設し、一方側（ヒンジ側と反対側）の側壁１２ａの後方内側には収容凹部１０側に開口すると共に、その上面から貫通する係合角孔１４が形成され、係合角孔１４の所定深さ部位には側壁１２の外側に連通する切欠き段部１４ａがベース体４側の係合部として形成されている。
【００２１】
収容凹部１０には、　側壁１２の前方内側に後述する挟持体５の折り返しバー１６先端が没入係止する角型の嵌合穴１５が形成されると共に、収容凹部１０の前方には折り返しバー１６に対向する位置に矩形の貫通口１８が形成され、この収容凹部１０には、ストラップ８に食い込んで固定する為の上方に突出した滑り止め手段となる３つの三角錐状突出片２０が配設されている。
【００２２】
また、挟持体５は、ヒンジ６を折り曲げてベース体４の収容凹部１０を対向させたとき、対応すべく上面ないし後端が開放した収容凹部２２が形成されており、ヒンジ６側の一側面には側壁２４が立設すると共に外側の他側面には外側に係合爪２５ａが突設した係合片２５が立設している。
【００２３】
挟持体５は、図１及び図４に示すように、収容凹部２２の前方に外側端部が開放されたスリット状の切欠き２６により分離されて、一端がヒンジ６に一体的に連結されて片持ち支持された断面角型の折り返しバー１６が設けられており、収容凹部２２には、ストラップ８の外表面から食い込ませて固定する為に上方に突出した滑り止め手段となる３っつの三角錐状突出片３０が配設されている。
【００２４】
尚、これら３つの三角錐状突出片２０または３０から成る滑り止め手段は、図示していないが折り返しバー１６の外周面に形成してもよく、また、三角錐状突出片に代えて接触表面に凹凸溝を形成したり、高摩擦材を貼付したりすることも可能である。
【００２５】
次に上記のように構成された係止クリップの使用方法に付き以下説明する。
【００２６】
係止クリップ１ａ及び１ｂは、図１、図３〜図６に示すように展開された状態で合成樹脂により一体脂成形されており、折り返しバー１６のスリット状の切欠き２６の開放された外側端部からストラップ８の端部を差込んで折り返しバー１６に巻付けて折り返し部分を重ね合わせる。
【００２７】
次に、重ね合わされたストラップ８を、収容凹部２２に押し付けて三角錐状突出片３０を側面に食い込ませた状態で、挟持体５をベース体４に向けてヒンジ６から折り曲げる。
【００２８】
これにより、ベース体４に挟持体５が押付けられると、折り返しバー１６にストラップ８を巻付けて膨出した外側は、ベース体４の収容凹部１０に形成された貫通口１８より外側に逃がすことができ、折り返しバー１６に巻付けられて折り返されたストラップ８の上下両面には、図７に示すように三角錐状突出片２０ないし三角錐状突出片３０が食い込んだ状態となり、この状態で係合片２５の係合爪２５ａが係合角孔１４の切欠き段部１４ａに係合することで、折り返されたストラップ８の端部はそれぞれの収容凹部１０、２２内で押圧挟持される。
【００２９】
従って、上記のように構成された係止クリップによれば、挟持体５の折り返しバー１６は、一端がヒンジ６に一体的に連結されて片持ち支持され自由端側からスリット状の切欠き２６に挿入できるので、ストラップ８の装着が容易にできる。
【００３０】
更に、折り返しバー１６に対向するベース体の収容凹部１０には矩形の貫通口１８が形成されいるので、折り返しバー１６にストラップ８を巻付けて折り返し部が肉厚となって膨出した外側が貫通口に臨むことで外側に逃がすことができ、ベース体４に挟持体５を係合させる際の閉鎖抵抗力を減少させることができる。
【００３１】
更にまた、ベース体４、挟持体５或いは折り返しバー１６の少なくとも何れか一つに滑り止め手段として突出片や凹凸溝または高摩擦材が施された構成とすることで、ストラップ８が滑ることなく、より確実に係止クリップ１ａに保持することができる。
【００３２】
次に、本発明の係止クリップの使用例に付き図８を参照して説明する。
【００３３】
図８は、本発明の係止クリップの使用例を示す斜視図であって、先端に互いに係脱可能な係止部２及び係止部３を形成した係止クリップ１ａ、１ｂがストラップ８の両端に保持されている。
【００３４】
これら係止クリップ１ａ、１ｂの係止部２及び係止部３を互いに連結するに際し、図２に示すように、係止クリップ１ｂ側の棒状体の係止部３を、係止クリップ１ａ側の係止部２のスリット状開放部２ａから弾力に抗して押し開き、係止部２内に挿入して互いに係止することでストラップ８をループ状に形成することができる。
【００３５】
このように、ストラップ８の一端が一方の係止クリップ１ａに移動不能に保持され、その他端がもう一つの係止クリップ１ｂに移動不能に保持され、それぞれの係止クリップ１ａ、１ｂに形成された係止部２及び係止部３が着脱自在に連結可能に構成されているので、二つの係止クリップ１ａ、１ｂをループ状に連結することで、ストラップ８を首に掛け、名札や、入園券あるいはリフト券等を収納したケース３２を保持したクリップ３５に係止リング３４を挿通し、ストラップ８を環状に繋いでこれを首に掛けて使用することができる。
【００３６】
そしてまた、相互の係止クリップ１ａ、１ｂの係止部２及び係止部３は、連結時に互いに枢働運動可能に構成されているので、ストラップ８をループ状に繋いだときに、係止クリップ１ａ、１ｂの連結部に屈曲の自由度を有することになり、このストラップ８を使用して物を縛るような場合に使い勝手が良くなる。
【００３７】
尚、上記実施形態で説明した係止クリップ１ａ、１ｂは、係止部２，３同士を互いに着脱可能に連結してループ状に形成することができる１組の係止クリップ１ａ、１ｂとして説明したが、これら係止クリップ１ａ、１ｂは、単体として使用することもでき、この場合は、ベース体４に設けた係止部２または３に物品支持部を係止させることで、ストラップ付きの物品保持具として使用することができる。
【００３８】
【発明の効果】
本発明によれば、次のような効果が得られる。
【００３９】
（ａ）請求項１に記載の発明によれば、折り返しバーによりテープ状ストラップを折り返し保持しているので、トラップの端部を確実に移動不能に保持でき、ベース体に設けた係止部に物品支持部を係止させることで、ストラップ付きの物品保持具として使用できる。
【００４０】
（ｂ）請求項２に記載の発明によれば、折り返したテープ状ストラップを折り返しバーの自由端側から挿入できるので、ストラップの装着が容易にできる。
【００４１】
（ｃ）請求項３に記載の発明によれば、ストラップの折り返しにより折り返し部が肉厚となっても、テープ状ストラップの一部が貫通口に臨むことで、ベース体に挟持体を係合させるときの閉鎖抵抗力が減少できる。
【００４２】
（ｄ）請求項４に記載の発明によれば、テープ状ストラップが滑ることなくより確実に係止クリップに保持できる。
【００４３】
（ｅ）請求項５に記載の発明によれば、二つの係止クリップを連結することで、テープ状ストラップを環状に繋いでこれを首に掛け、名札や、入園券あるいはリフト券等をつるすことができる。
【００４４】
（ｆ）請求項６に記載の発明によれば、テープ状ストラップを環状に繋いだときに、係止クリップの連結部にも屈曲の自由度があるので、このストラップを使って物を縛るような場合に使い勝手がよい。
【図面の簡単な説明】
【図１】本発明の係止クリップであって、ベース体と挟持体が開放された状態を示す係止クリップの斜視図である。
【図２】同じくベース体と挟持体によってテープ状ストラップが係止された状態を示す係止クリップの斜視図である。
【図３】展開した係止クリップを外側から視た背面図である。
【図４】展開した係止クリップを内側から視た正面図である。
【図５】図３のＢ矢視図である。
【図６】図４のＣ矢視図である。
【図７】図２のＡ―Ａ断面図である。
【図８】本発明の係止クリップの使用例を示す斜視図である。
【図９】（ａ）は従来の係止クリップの平面図であり、図９（ｂ）は図９（ａ）のＡ−Ａ断面図である。
【符号の説明】
１ａ、１ｂ　　　　　　係止クリップ
２　　　　　　　　　　係止部
２ａ　　　　　　　　　スリット状開放部
３　　　　　　　　　　係止部
４　　　　　　　　　　ベース体
５　　　　　　　　　　挟持体
６　　　　　　　　　　ヒンジ
８　　　　　　　　　　ストラップ
１０　　　　　　　　　収容凹部
１２ａ、１２ｂ　　　　側壁
１４　　　　　　　　　係合角孔
１４ａ　　　　　　　　切欠き段部
１５　　　　　　　　　嵌合穴
１６　　　　　　　　　折り返しバー
１８　　　　　　　　　貫通口
２０　　　　　　　　　突出片
２２　　　　　　　　　収容凹部
２４　　　　　　　　　側壁
２５　　　　　　　　　係合片
２５ａ　　　　　　　　係合爪
３０　　　　　　　　　三角錐状突出片
３２　　　　　　　　　ケース
３４　　　　　　　　　係止リング
３５　　　　　　　　　クリップ
【図１】
2004042921.tif 000003
【図２】
2004042921.tif 000004
【図３】
2004042921.tif 000005
【図４】
2004042921.tif 000006
【図５】
2004042921.tif 000007
【図６】
2004042921.tif 000008
【図７】
2004042921.tif 000009
【図８】
2004042921.tif 000010
【図９】
2004042921.tif 000011